(57)【要約】【課題】無線ＬＡＮルータ装置に対して有線及び無線によって直接的又は間接的に接続されている１つ又は複数の機器を把握する精度を向上させる。【解決手段】管理装置１０において送信制御部１０Ａは、無線ＬＡＮルータ装置の通信インタフェースに対して、上記１つ又は複数の機器のＩＰアドレス宛てにＭＡＣアドレスを問い合わせるための問い合わせ信号を送信させる。そして、判定部１０Ｃは、上記１つ又は複数の機器のうちの判定対象機器から無線送信された問い合わせ信号に対する無線応答信号の無線監視部１０Ｂによる検出の有無に基づいて、判定対象機器が無線ＬＡＮブリッジ装置に無線接続された機器であるか否かを判定する。【選択図】図１
2018195963.tif 000002
【特許請求の範囲】
【請求項１】
無線ＬＡＮブリッジ装置を接続可能に構成された無線ＬＡＮルータ装置に対して、有線及び無線によって直接的又は間接的に接続されている１つ又は複数の機器を管理する管理装置であって、
前記無線ＬＡＮルータ装置の通信インタフェースに対して、前記１つ又は複数の機器のＩＰアドレス宛てにＭＡＣアドレスを問い合わせるための問い合わせ信号を送信させる送信制御部と、
無線信号を監視する無線監視部と、
前記１つ又は複数の機器のうちの判定対象機器から無線送信された前記問い合わせ信号に対する無線応答信号の前記無線監視部による検出の有無に基づいて、前記判定対象機器が前記無線ＬＡＮブリッジ装置に無線接続された機器であるか否かを判定する判定部と、
を具備する管理装置。
【請求項２】
前記判定部は、前記無線監視部で検出された無線応答信号の送信元機器を、前記無線ＬＡＮブリッジ装置に無線接続された第１種機器であると判定する、
請求項１記載の管理装置。
【請求項３】
前記判定部は、前記無線監視部で検出された無線応答信号の送信元機器ではなく、且つ、前記第１種機器から無線送信された無線応答信号に含まれるＭＡＣアドレスとの間で類似基準を満たすＭＡＣアドレスを含む有線応答信号を有線経由で送信してきた送信元機器を、前記無線ＬＡＮブリッジ装置であると判定する、
請求項２記載の管理装置。
【請求項４】
前記判定部は、前記無線監視部で検出された無線応答信号の送信元機器ではなく、且つ、前記第１種機器から無線送信された無線応答信号に含まれるＭＡＣアドレスとの間で類似基準を満たさないＭＡＣアドレスを含む有線応答信号を有線経由で送信してきた送信元機器を、前記無線ＬＡＮルータ装置又は前記無線ＬＡＮブリッジ装置に有線接続された、前記無線ＬＡＮブリッジ装置以外の機器であると判定する、
請求項３記載の管理装置。
【請求項５】
前記無線監視部は、前記無線ＬＡＮルータ装置の無線チャネル及び前記無線ＬＡＮブリッジ装置の無線チャネルの両方を監視する、
請求項１から４のいずれか１項に記載の管理装置。
【請求項６】
無線ＬＡＮブリッジ装置を接続可能に構成された無線ＬＡＮルータ装置に対して、有線及び無線によって直接的又は間接的に接続されている１つ又は複数の機器を管理する管理装置によって実行される管理方法であって、
前記無線ＬＡＮルータ装置の有線インタフェースに対して、前記１つ又は複数の機器のＩＰアドレス宛てにＭＡＣアドレスを問い合わせる問い合わせ信号を送信させ、
無線信号を監視し、
前記監視における前記１つ又は複数の機器のうちの判定対象機器から無線送信された前記問い合わせ信号に対する無線応答信号の検出の有無に基づいて、前記判定対象機器が前記無線ＬＡＮブリッジ装置に無線接続された機器であるか否かを判定する、
管理方法。
【請求項７】
無線ＬＡＮブリッジ装置を接続可能に構成された無線ＬＡＮルータ装置に対して、有線及び無線によって直接的又は間接的に接続されている１つ又は複数の機器を管理する管理装置に対して、
前記無線ＬＡＮルータ装置の有線インタフェースに対して、前記１つ又は複数の機器のＩＰアドレス宛てにＭＡＣアドレスを問い合わせる問い合わせ信号を送信させ、
無線信号を監視し、
前記監視における前記１つ又は複数の機器のうちの判定対象機器から無線送信された前記問い合わせ信号に対する無線応答信号の検出の有無に基づいて、前記判定対象機器が前記無線ＬＡＮブリッジ装置に無線接続された機器であるか否かを判定する、
処理を、実行させる管理プログラム。
【発明の詳細な説明】
【技術分野】
【０００１】
本発明は、管理装置、管理方法、及び管理プログラムに関する。
【背景技術】
【０００２】
現在、無線ＬＡＮ（Local Area Network）を用いた通信システムが広く普及している（例えば、特許文献１）。そして、無線ＬＡＮルータ装置の機能として、その配下に接続している無線ＬＡＮ機器（以下では、単に「機器」と呼ぶことがある）を含むネットワーク構成を管理して機器の接続状態などを図示する機能（つまり、見える化する機能）が搭載されてきている。
【先行技術文献】
【特許文献】
【０００３】
【特許文献１】特開２００９−２２５０６０号公報
【発明の概要】
【発明が解決しようとする課題】
【０００４】
しかしながら、無線ＬＡＮルータ装置に無線ＬＡＮブリッジ装置が接続されている場合、無線ＬＡＮブリッジ装置の配下に接続されている機器を含むネットワーク構成を無線ＬＡＮルータ装置側で把握することは難しい。特に、無線ＬＡＮルータ装置に有線接続している無線ＬＡＮブリッジ装置に接続している機器は、無線ＬＡＮルータ装置から見ると、無線ＬＡＮブリッジ装置と無線で接続しているか有線で接続しているかに関わらず、無線ＬＡＮルータ装置と有線接続している機器に見えてしまう。すなわち、従来、無線ＬＡＮルータ装置に対して有線及び無線によって直接的又は間接的に接続されている１つ又は複数の機器を含むネットワーク構成を正確に把握できない可能性がある。
【０００５】
本発明の目的は、無線ＬＡＮルータ装置に対して有線及び無線によって直接的又は間接的に接続されている１つ又は複数の機器を把握する精度を向上させることができる、管理装置、管理方法、及び管理プログラムを提供することにある。
【課題を解決するための手段】
【０００６】
本発明の第１の態様にかかる管理装置は、無線ＬＡＮブリッジ装置を接続可能に構成された無線ＬＡＮルータ装置に対して、有線及び無線によって直接的又は間接的に接続されている１つ又は複数の機器を管理する管理装置であって、前記無線ＬＡＮルータ装置の通信インタフェースに対して、前記１つ又は複数の機器のＩＰアドレス宛てにＭＡＣアドレスを問い合わせるための問い合わせ信号を送信させる送信制御部と、無線信号を監視する無線監視部と、前記１つ又は複数の機器のうちの判定対象機器から無線送信された前記問い合わせ信号に対する無線応答信号の前記無線監視部による検出の有無に基づいて、前記判定対象機器が前記無線ＬＡＮブリッジ装置に無線接続された機器であるか否かを判定する判定部と、を具備する。
【０００７】
本発明の第２の態様にかかる管理方法は、無線ＬＡＮブリッジ装置を接続可能に構成された無線ＬＡＮルータ装置に対して、有線及び無線によって直接的又は間接的に接続されている１つ又は複数の機器を管理する管理装置によって実行される管理方法であって、前記無線ＬＡＮルータ装置の有線インタフェースに対して、前記１つ又は複数の機器のＩＰアドレス宛てにＭＡＣアドレスを問い合わせる問い合わせ信号を送信させ、無線信号を監視し、前記監視における前記１つ又は複数の機器のうちの判定対象機器から無線送信された前記問い合わせ信号に対する無線応答信号の検出の有無に基づいて、前記判定対象機器が前記無線ＬＡＮブリッジ装置に無線接続された機器であるか否かを判定する。
【０００８】
本発明の第３の態様にかかる管理プログラムは、無線ＬＡＮブリッジ装置を接続可能に構成された無線ＬＡＮルータ装置に対して、有線及び無線によって直接的又は間接的に接続されている１つ又は複数の機器を管理する管理装置に対して、前記無線ＬＡＮルータ装置の有線インタフェースに対して、前記１つ又は複数の機器のＩＰアドレス宛てにＭＡＣアドレスを問い合わせる問い合わせ信号を送信させ、無線信号を監視し、前記監視における前記１つ又は複数の機器のうちの判定対象機器から無線送信された前記問い合わせ信号に対する無線応答信号の検出の有無に基づいて、前記判定対象機器が前記無線ＬＡＮブリッジ装置に無線接続された機器であるか否かを判定する、処理を、実行させる。
【発明の効果】
【０００９】
本発明により、無線ＬＡＮルータ装置に対して有線及び無線によって直接的又は間接的に接続されている１つ又は複数の機器を把握する精度を向上させることができる、管理装置、管理方法、及び管理プログラムを提供することができる。
【図面の簡単な説明】
【００１０】
【図１】第１実施形態の管理装置の一例を示すブロック図である。
【図２】第２実施形態の通信ネットワークの一例を示す図である。
【図３】第２実施形態の管理装置の処理動作の一例を示すフローチャートである。
【図４】図３の続きを示す図である。
【図５】ネットワーク管理テーブルの一例を示す図である。
【図６】ネットワーク管理テーブルの一例を示す図である。
【図７】第３実施形態の管理装置の一例を示すブロック図である。
【図８】管理装置のハードウェア構成の一例を示す図である。
【発明を実施するための形態】
【００１１】
以下、図面を参照しつつ、実施形態について説明する。なお、実施形態において、同一又は同等の要素には、同一の符号を付し、重複する説明は省略される。
【００１２】
＜第１実施形態＞
図１は、第１実施形態の管理装置の一例を示すブロック図である。図１に示す管理装置１０は、例えば、無線ＬＡＮブリッジ装置（図示せず）を接続可能に構成された無線ＬＡＮルータ装置（図示せず）に搭載されて用いられ、上記無線ＬＡＮルータ装置に対して有線及び無線によって直接的又は間接的に接続されている１つ又は複数の機器を管理する。図１において管理装置１０は、送信制御部１０Ａと、無線監視部１０Ｂと、判定部１０Ｃとを有している。
【００１３】
送信制御部１０Ａは、上記無線ＬＡＮルータ装置の通信インタフェース（図示せず）に対して、上記１つ又は複数の機器のＩＰ（Internet Protocol）アドレス宛てにＭＡＣ（Media Access Control）アドレスを問い合わせるための問い合わせ信号を送信させる。
【００１４】
無線監視部１０Ｂは、無線信号を監視する。無線監視部１０Ｂは、例えば、プロミスキャスモードによって動作することにより、上記無線ＬＡＮルータ装置宛以外の無線信号も監視することができる。
【００１５】
判定部１０Ｃは、上記１つ又は複数の機器のうちの「判定対象機器」から無線送信された問い合わせ信号に対する無線応答信号の無線監視部１０Ｂによる検出の有無に基づいて、「判定対象機器」が無線ＬＡＮブリッジ装置（図示せず）に無線接続された機器であるか否かを判定する。この判定処理は、上記１つ又は複数の機器のうちで判定対象機器を順次変更することにより、各機器について行われる。
【００１６】
以上のように第１実施形態によれば、管理装置１０において送信制御部１０Ａは、無線ＬＡＮルータ装置の通信インタフェースに対して、上記１つ又は複数の機器のＩＰアドレス宛てにＭＡＣアドレスを問い合わせるための問い合わせ信号を送信させる。そして、判定部１０Ｃは、上記１つ又は複数の機器のうちの判定対象機器から無線送信された問い合わせ信号に対する無線応答信号の無線監視部１０Ｂによる検出の有無に基づいて、判定対象機器が無線ＬＡＮブリッジ装置に無線接続された機器であるか否かを判定する。
【００１７】
この管理装置１０の構成により、判定対象機器から無線送信された問い合わせ信号に対する無線応答信号の無線監視部１０Ｂによる検出の有無に基づいて、判定対象機器が無線ＬＡＮブリッジ装置に無線接続された機器であるか否かを判定することができる。これにより、無線ＬＡＮルータ装置に対して有線及び無線によって直接的又は間接的に接続されている１つ又は複数の機器を把握する精度を向上させることができる。
【００１８】
＜第２実施形態＞
第２実施形態は、より具体的な実施形態に関する。
【００１９】
＜通信ネットワークの概要＞
図２は、第２実施形態の通信ネットワークの一例を示す図である。図２において通信ネットワーク１は、無線ＬＡＮルータ装置２０と、無線ＬＡＮルータ装置２０に対して有線及び無線によって直接的又は間接的に接続されている複数の機器とを有している。この複数の機器は、無線ＬＡＮブリッジ装置３０と、無線機器４０−１，２と、有線機器５０−１，２とを含んでいる。図２において無線機器４０−１は、無線ＬＡＮブリッジ装置３０に直接的に無線接続されており、つまり、無線ＬＡＮルータ装置２０に対して間接的に接続されている。また、無線機器４０−２は、無線ＬＡＮルータ装置２０に直接的に無線接続されている。また、有線機器５０−１は、無線ＬＡＮブリッジ装置３０に直接的に有線接続されており、つまり、無線ＬＡＮルータ装置２０に対して間接的に接続されている。また、有線機器５０−２は、無線ＬＡＮルータ装置２０に直接的に有線接続されている。なお、以下では、無線機器４０−１，２を総称して無線機器４０と呼ぶことがある。また、有線機器５０−１，２を総称して有線機器５０と呼ぶことがある。また、図２において、装置間、及び、装置と機器との間を結ぶ実線は、有線接続を示し、点線は、無線接続を示している。
【００２０】
＜無線ＬＡＮルータ装置の構成例＞
図２に示すように、無線ＬＡＮルータ装置２０は、管理装置１１と、通信インタフェース部２１と、表示出力部２３とを有している。
【００２１】
管理装置１１は、第１実施形態で説明した送信制御部１０Ａ、無線監視部１０Ｂ、及び判定部１０Ｃに加えて、テーブル管理部１１Ａを有している。
【００２２】
第２実施形態において判定部１０Ｃは、例えば、無線監視部１０Ｂで検出された無線応答信号の送信元機器を、無線ＬＡＮブリッジ装置３０に無線接続された「第１種機器」であると判定する。また、判定部１０Ｃは、無線監視部１０Ｂで検出された無線応答信号の送信元機器ではなく、且つ、上記第１種機器から無線送信された無線応答信号に含まれるＭＡＣアドレス（ＢＳＳＩＤ：：Basic Service Set Indentifier）との間で「類似基準」を満たすＭＡＣアドレスを含む有線応答信号を有線経由で送信してきた送信元機器を、無線ＬＡＮブリッジ装置３０であると判定する。ここで、無線応答信号は、該無線応答信号の送信元機器のＩＰアドレス及びＭＡＣアドレスを含んでいる。また、有線応答信号は、該有線応答信号の送信元機器のＩＰアドレス及びＭＡＣアドレスを含んでいる。
【００２３】
また、判定部１０Ｃは、無線監視部１０Ｂで検出された無線応答信号の送信元機器ではなく、且つ、上記第１種機器から無線送信された無線応答信号に含まれるＭＡＣアドレス（ＢＳＳＩＤ）との間で「類似基準」を満たさないＭＡＣアドレスを含む有線応答信号を有線経由で送信してきた送信元機器を、無線ＬＡＮルータ装置２０又は無線ＬＡＮブリッジ装置３０に有線接続された、無線ＬＡＮブリッジ装置３０以外の機器であると判定する。
【００２４】
「上記の類似基準を満たす場合」とは、「第１種機器」から無線送信された無線応答信号に含まれるＭＡＣアドレス（ＢＳＳＩＤ）と上記送信元機器から有線送信された有線応答信号に含まれるＭＡＣアドレスとが一致する場合を含む。ここで、無線ＬＡＮブリッジ装置３０が例えば４つのＢＳＳＩＤを有する場合、１つのＢＳＳＩＤは、無線ＬＡＮブリッジ装置３０のＭＡＣアドレスそのものが用いられ、残りの３つのＢＳＳＩＤは、無線ＬＡＮブリッジ装置３０のＭＡＣアドレスにそれぞれ１，２，３を足した値が用いられることがある。これは、ＢＳＳＩＤの作成ルールの一例である。そのため、「第１種機器」から無線送信された無線応答信号に含まれるＭＡＣアドレス（ＢＳＳＩＤ）と上記送信元機器から有線送信された有線応答信号に含まれるＭＡＣアドレスとが一致しない場合でも両ＭＡＣアドレスの差分が１，２，３のいずれかの場合は、「類似基準を満たす場合」とすることができる。すなわち、「第１種機器」から無線送信された無線応答信号に含まれるＭＡＣアドレス（ＢＳＳＩＤ）と上記送信元機器から有線送信された有線応答信号に含まれるＭＡＣアドレスとが一致しない場合でも両ＭＡＣアドレスの間に、無線ＬＡＮブリッジ装置３０におけるＢＳＳＩＤの作成ルールに対応する関係性があれば、「類似基準を満たす場合」とすることができる。
【００２５】
テーブル管理部１１Ａは、「ネットワーク管理テーブル」を管理する。テーブル管理部１１Ａは、例えば、無線ＬＡＮルータ装置２０に対して有線及び無線によって直接的又は間接的に接続されている複数の機器について判定部１０Ｃによって判定された接続状態に応じた機器種別に関する情報を用いて、ネットワーク管理テーブルを更新する。ネットワーク管理テーブル及びネットワーク管理テーブルの更新については後に詳しく説明する。
【００２６】
通信インタフェース部２１は、無線ＬＡＮルータ装置２０の配下の機器との間の通信インタフェースである。通信インタフェース部２１は、有線接続処理部２１Ａと、無線接続処理部２１Ｂとを有している。
【００２７】
有線接続処理部２１Ａは、通信ネットワーク１において無線ＬＡＮルータ装置２０の下位となる機器と有線接続するインタフェースである。有線接続処理部２１Ａは、送信制御部１０Ａからの指示に応じて、上記問い合わせ信号を送信する。また、有線接続処理部２１Ａは、上記問い合わせ信号に対する、有線機器から有線経由で送出された応答信号を受信して管理装置１１へ出力する。
【００２８】
無線接続処理部２１Ｂは、通信ネットワーク１において無線ＬＡＮルータ装置２０の下位となる機器と無線接続するインタフェースである。
【００２９】
表示出力部２３は、テーブル管理部１１Ａで管理されているネットワーク管理テーブルの内容を所定の出力態様によって出力する。所定の出力態様としては、無線ＬＡＮルータ装置２０が有する表示部（図示せず）に表示させる態様であってもよいし、ウェブページとして表示させる態様であってもよい。
【００３０】
＜無線ＬＡＮブリッジ装置の構成例＞
図２に示すように無線ＬＡＮブリッジ装置３０は、有線接続処理部３０Ａと、有線接続処理部３０Ｂと、無線接続処理部３０Ｃとを有している。
【００３１】
有線接続処理部３０Ａは、通信ネットワーク１において無線ＬＡＮブリッジ装置３０の上位となる機器（つまり、無線ＬＡＮルータ装置２０）と有線接続するインタフェースである。有線接続処理部３０Ａは、有線接続処理部３０Ｂ及び無線接続処理部３０Ｃのそれぞれと無線ＬＡＮブリッジ装置３０の内部で接続している。
【００３２】
有線接続処理部３０Ｂは、通信ネットワーク１において無線ＬＡＮブリッジ装置３０の下位となる機器と有線接続するインタフェースである。
【００３３】
無線接続処理部３０Ｃは、通信ネットワーク１において無線ＬＡＮブリッジ装置３０の下位となる機器と無線接続するインタフェースである。
【００３４】
＜無線機器の構成例＞
図２に示すように無線機器４０は、無線接続処理部４０Ａを有している。無線接続処理部４０Ａは、通信ネットワーク１において無線機器４０の上位となる機器（つまり、無線ＬＡＮルータ装置２０又は無線ＬＡＮブリッジ装置３０）と無線接続するインタフェースである。
【００３５】
＜有線機器の構成例＞
図２に示すように有線機器５０は、有線接続処理部５０Ａを有している。有線接続処理部５０Ａは、通信ネットワーク１において有線機器５０の上位となる機器（つまり、無線ＬＡＮルータ装置２０又は無線ＬＡＮブリッジ装置３０）と有線接続するインタフェースである。
【００３６】
＜通信ネットワークの動作例＞
以上の構成を有する通信ネットワーク１の処理動作の一例について説明する。特に、管理装置１１の処理動作について説明する。図３及び図４は、第２実施形態の管理装置の処理動作の一例を示すフローチャートである。図４は、図３の続きを示す図である。ここで、図３及び図４のフローが開始する前の段階で、テーブル管理部１１Ａは、無線ＬＡＮルータ装置２０に対して有線及び無線によって直接的又は間接的に接続されている複数の機器のＩＰアドレスを取得しており、ネットワーク管理テーブルに反映していることを前提としている。この段階におけるネットワーク管理テーブルの一例が図５に示されている。
【００３７】
テーブル管理部１１Ａは、無線ＬＡＮルータ装置２０に対して直接的に無線接続している機器（ここでは、無線機器４０−２）のＩＰアドレスを無線接続処理部２１Ｂから取得し、ネットワーク管理テーブルにおいて取得したＩＰアドレスを含むエントリの項目「機器種別」の情報を「直接（無線）」に更新する（ステップＳ１１）。この「直接（無線）」は、無線ＬＡＮルータ装置２０に対して直接的に無線接続していることを意味している。
【００３８】
次いで、送信制御部１０Ａは、無線ＬＡＮルータ装置２０の有線接続処理部３０Ｂに対して、無線ＬＡＮルータ装置２０に有線を介して間接的又は直接的に接続されている複数の機器のそれぞれのＩＰアドレス宛てにＭＡＣアドレスを問い合わせるための問い合わせ信号を送信させる（ステップＳ１２）。
【００３９】
次いで、無線監視部１０Ｂは、無線信号を監視して、問い合わせ信号に対する、無線送信された無線応答信号を受信して、判定部１０Ｃへ出力する（ステップＳ１３）。すなわち、判定部１０Ｃは、問い合わせ信号に対する、無線送信された無線応答信号を取得する（ステップＳ１３）。また、判定部１０Ｃは、問い合わせ信号に対する、有線送信された有線応答信号を、有線接続処理部２１Ａを介して取得する（ステップＳ１４）。
【００４０】
次いで、判定部１０Ｃは、項目「機器種別」に情報が入っていない複数のエントリのうちの１つのＩＰアドレスに対応する機器を「判定対象機器」に設定する（ステップＳ１５）。すなわち、項目「機器種別」に情報が入っていないエントリ群に対応する「判定対象機器候補群」のうちの１つが、まず「判定対象機器」として設定される。
【００４１】
次いで、判定部１０Ｃは、判定対象機器から無線送信された無線応答信号を、無線監視部１０Ｂを介して取得しているか否かを判定する（ステップＳ１６）。
【００４２】
判定対象機器から無線送信された無線応答信号を受け取っている場合（ステップＳ１５ＹＥＳ）、判定部１０Ｃは、判定対象機器が無線ＬＡＮブリッジ装置３０に無線接続された無線機器であると判定する（ステップＳ１７）。すなわち、判定対象機器が無線機器４０−１である場合に、このように判定されることになる。そして、テーブル管理部１１Ａは、図６に示すように、ネットワーク管理テーブルにおいて判定対象機器に対応するエントリの項目「機器種別」を「間接（無線）」に更新する（ステップＳ１８）。この「間接（無線）」は、無線ＬＡＮブリッジ装置３０の配下で無線ＬＡＮブリッジ装置３０に無線接続している機器を意味している。そして、判定部１０Ｃは、判定対象機器候補群のすべてを判定対象機器としたか否かを判定する（ステップＳ１９）。判定対象機器候補群のいずれかが判定対象機器とされていない場合（ステップＳ１９ＮＯ）、フローは、ステップＳ１５へ戻り、「判定対象機器候補群」のうちでまだ判定対象機器として設定されていない判定対象機器候補が次の判定対象機器として設定される。一方、既に判定対象機器候補群のすべてが判定対象機器とされている場合（ステップＳ１９ＹＥＳ）、処理フローは終了する。
【００４３】
判定対象機器から無線送信された無線応答信号を受け取っていない場合（ステップＳ１５ＮＯ）、判定部１０Ｃは、判定対象機器から有線送信された有線応答信号に含まれるＭＡＣアドレスと、無線監視部１０Ｂから取得した無線応答信号に含まれるＭＡＣアドレスとが「類似基準」を満たすか否かを判定する（ステップＳ２０）。
【００４４】
類似基準を満たすと判定された場合（ステップＳ２０ＹＥＳ）、判定部１０Ｃは、判定対象機器が無線ＬＡＮブリッジ装置３０であると判定する（ステップＳ２１）。そして、テーブル管理部１１Ａは、図６に示すように、ネットワーク管理テーブルにおいて判定対象機器に対応するエントリの項目「機器種別」を「直接（有線）」に更新する（ステップＳ２２）。この「直接（有線）」は、無線ＬＡＮブリッジ装置３０を意味している。そして、フローは、ステップＳ１９へ進む。
【００４５】
類似基準を満たさないと判定された場合（ステップＳ２０ＮＯ）、判定部１０Ｃは、判定対象機器が無線ＬＡＮルータ装置２０又は無線ＬＡＮブリッジ装置３０に有線接続された、無線ＬＡＮブリッジ装置３０以外の機器であると判定する（ステップＳ２３）。すなわち、判定対象機器が有線機器５０−１，５０−２である場合に、このように判定されることになる。そして、テーブル管理部１１Ａは、ネットワーク管理テーブルにおいて判定対象機器に対応するエントリの項目「機器種別」を「直接又は間接（有線）」に更新する（ステップＳ２４）。この「直接又は間接（有線）」は、無線ＬＡＮルータ装置２０又は無線ＬＡＮブリッジ装置３０に有線接続している機器を意味している。そして、フローは、ステップＳ１９へ進む。
【００４６】
なお、以上の説明では、項目「機器種別」に入力される情報を「直接（無線）」、「間接（無線）」、「直接（有線）」、及び「直接又は間接（有線）」としたが、これに限定されない。例えば、「間接（無線）」の代わりに、「無線ＬＡＮブリッジ装置配下（無線）」が用いられてもよい。また、「直接（有線）」の代わりに、「無線ＬＡＮブリッジ装置（有線）」が用いられてもよい。また、「直接又は間接（有線）」の代わりに、「無線ＬＡＮルータ装置配下又は無線ＬＡＮブリッジ装置配下（有線）」が用いられてもよい。
【００４７】
以上のように第２実施形態によれば、管理装置１１において判定部１０Ｃは、無線監視部１０Ｂで検出された無線応答信号の送信元機器を、無線ＬＡＮブリッジ装置３０に無線接続された機器（つまり、上記第１種機器）であると判定する。
【００４８】
この管理装置１１の構成により、無線ＬＡＮブリッジ装置３０に無線接続している機器を把握することができる。すなわち、無線ＬＡＮルータ装置２０に対して有線及び無線によって直接的又は間接的に接続されている１つ又は複数の機器を把握する精度を向上させることができる。
【００４９】
また、管理装置１１において判定部１０Ｃは、無線監視部１０Ｂで検出された無線応答信号の送信元機器ではなく、且つ、上記第１種機器から無線送信された無線応答信号に含まれるＭＡＣアドレスとの間で類似基準を満たすＭＡＣアドレスを含む有線応答信号を有線経由で送信してきた送信元機器を、無線ＬＡＮブリッジ装置３０であると判定する。
【００５０】
この管理装置１１の構成により、無線ＬＡＮルータ装置２０に直接的に有線接続している無線ＬＡＮブリッジ装置３０を把握することができる。すなわち、無線ＬＡＮルータ装置２０に対して有線及び無線によって直接的又は間接的に接続されている１つ又は複数の機器を把握する精度を向上させることができる。
【００５１】
また、管理装置１１において判定部１０Ｃは、無線監視部１０Ｂで検出された無線応答信号の送信元機器ではなく、且つ、上記第１種機器から無線送信された無線応答信号に含まれるＭＡＣアドレスとの間で類似基準を満たさないＭＡＣアドレスを含む有線応答信号を有線経由で送信してきた送信元機器を、無線ＬＡＮルータ装置２０又は無線ＬＡＮブリッジ装置３０に有線接続された、無線ＬＡＮブリッジ装置３０以外の機器であると判定する。
【００５２】
この管理装置１１の構成により、無線ＬＡＮルータ装置２０又は無線ＬＡＮブリッジ装置３０に有線接続された、無線ＬＡＮブリッジ装置３０以外の機器を把握することができる。すなわち、無線ＬＡＮルータ装置２０に対して有線及び無線によって直接的又は間接的に接続されている１つ又は複数の機器を把握する精度を向上させることができる。
【００５３】
＜第３実施形態＞
第３実施形態は、管理装置が無線ＬＡＮルータ装置のチャネル以外のチャネルも含めて無線信号を監視する、実施形態に関する。なお、第３実施形態の通信ネットワークの基本構成は、第２実施形態の通信ネットワーク１と同じなので、図２を参照して説明する。
【００５４】
図７は、第３実施形態の管理装置の一例を示すブロック図である。図７において管理装置１２は、第２実施形態の管理装置１１と比べて、無線チャネル制御部１２Ａをさらに有している。
【００５５】
無線チャネル制御部１２Ａは、無線監視部１０Ｂへ制御信号を出力することにより、無線監視部１０Ｂに対して、無線ＬＡＮルータ装置２０（つまり、無線接続処理部２１Ｂ）が利用しているチャネル及び無線ＬＡＮブリッジ装置３０が利用しているチャネルの両方を監視させる。すなわち、無線チャネル制御部１２Ａは、無線監視部１０Ｂに対して、無線ＬＡＮルータ装置２０（つまり、無線接続処理部２１Ｂ）が利用しているチャネル以外のチャネルも含めて、無線信号を監視させる。
【００５６】
これにより、無線ＬＡＮブリッジ装置３０が無線ＬＡＮルータ装置２０と別のチャネルを用いている場合であっても、無線応答信号を確実に検出することができる。
【００５７】
＜他の実施形態＞
第１実施形態から第３実施形態の管理装置１０，１１，１２は、それぞれ、次のようなハードウェア構成を有していてもよい。図８は、管理装置のハードウェア構成の一例を示す図である。
【００５８】
図８において管理装置１００は、無線回路１０１と、プロセッサ１０２と、メモリ１０３とを有している。
【００５９】
無線監視部１０Ｂは、無線回路１０１によって実現される。また、送信制御部１０Ａ、判定部１０Ｃ、テーブル管理部１１Ａ、及び無線チャネル制御部１２Ａは、プロセッサ１０２がメモリ１０３に記憶されたプログラムを読み込んで実行することにより実現される。また、ネットワーク管理テーブルは、メモリ１０３に記憶されてもよい。
【符号の説明】
【００６０】
１  通信ネットワーク
１０，１１，１２  管理装置
１０Ａ  送信制御部
１０Ｂ  無線監視部
１０Ｃ  判定部
１１Ａ  テーブル管理部
１２Ａ  無線チャネル制御部
２０  無線ＬＡＮルータ装置
２１  通信インタフェース部
２１Ａ  有線接続処理部
２１Ｂ  無線接続処理部
２３  表示出力部
３０  無線ＬＡＮブリッジ装置
３０Ａ  有線接続処理部
３０Ｂ  有線接続処理部
３０Ｃ  無線接続処理部
４０  無線機器
４０Ａ  無線接続処理部
５０  有線機器
５０Ａ  有線接続処理部
【図１】
2018195963.tif 000003
【図２】
2018195963.tif 000004
【図３】
2018195963.tif 000005
【図４】
2018195963.tif 000006
【図５】
2018195963.tif 000007
【図６】
2018195963.tif 000008
【図７】
2018195963.tif 000009
【図８】
2018195963.tif 000010